(57)【特許請求の範囲】
【請求項１】
舞台の天井側に配置される天井反射板と、
舞台の上手側および下手側にそれぞれ配置される側面反射板と、
舞台の奥側に配置される正面反射板と
を備えてなる音響反射板装置であって、
前記正面反射板が
反射板本体と、
舞台の上手側および下手側へ向けてそれぞれ突出できるように前記反射板本体の内部に格納された対をなす側方ブロックと、
舞台の天井側へ向けて突出できるように前記反射板本体の内部に格納された上方ブロックと、
前記側方ブロックの上方にそれぞれ突出できるように当該側方ブロックまたは前記上方ブロックの内部に格納された対をなす入子ブロックと
を備えてなることを特徴とする音響反射板装置。
【請求項２】
前記反射板本体および前記側方ブロックを走行移動可能に支持する移動台を備えたことを特徴とする請求項１に記載の音響反射板装置。
【発明の詳細な説明】
【０００１】
【発明の属する技術分野】
本発明は、舞台等で用いられる音響反射板装置に関する。
【０００２】
【従来の技術】
近年、各種の専用ホールに代わって、多目的な用途に適用可能な多目的ホールの建設が多くなっている。最近の多目的ホールは、従来のものとは大きく異なり、各種の用途に応じて音響環境を変更することにより、専用ホールと同等の音響効果を得ることができるようになっている。
このような音響環境を変更する手段としては、音響反射板装置が挙げられる。
この音響反射板装置は、１９６０年代にプロトタイプが揃い、１９７０年代に可動式の音響反射板が開発され、その後、近年の多目的ホールに適用可能な新しい形式のものが注目を浴びている。
【０００３】
このような近年の音響反射板装置の一例を図１１に示す。なお、図１１（ａ）〜（ｃ）はその全体概略構成を表す平面図、図１１（ｄ）はその主要部の抽出拡大縦断面図である。
この音響反射板装置は、図１１（ｄ）に示すように、舞台１００の下方の基礎１００ａ上にレール１１１を布設し、当該レール１１１を覆い隠せるように蓋板１００ｂを設け、図１１（ａ）〜（ｃ）に示すように、当該レール１１１に沿って音響反射板ブロック１１２〜１１４を移動できるようにしたものであり、その用途に応じた仕様、例えば、大規模オーケストラ仕様（図１１（ａ））、室内楽仕様（図１１（ｂ））、オペラ・バレエ仕様（図１１（ｃ））等に変更することにより、最適な環境を得ることができるようになっている。
【０００４】
このような音響反射板装置では、各種の演目に対する適応性が高く、舞台１００の上方からの吊物に対して干渉しないため、大規模なホールへ適合しやすいという利点があるものの、音響反射板ブロック１１２〜１１４の重量が非常に大きく（約１００ｔ）、装置構成が大規模となってしまうため、中小規模のホールへの適用が困難である。
【０００５】
このため、図１２に示すように、舞台１００の上方のすのこ１００ｃにウインチ１２１を取り付け、当該ウインチ１２１に巻き付けられているワイヤ１２２で天井反射板１２３、側面反射板１２４、正面反射板１２５を昇降可能に吊れるようにすることにより、これら反射板１２３〜１２５の設置や格納にかかる構造を簡単にして、中小規模のホールでも適用できるようにしたものがある。
【０００６】
【発明が解決しようとする課題】
しかしながら、前述したような吊り下げ式の音響反射板装置では、正面反射板１２５を舞台１００の前方へ移動させると、天井反射板１２３や側面反射板１２４との間に隙間を生じてしまう。なぜなら、天井反射板１２３は、舞台１００の前方側ほど高さが高くなるように、側面反射板１２４は、舞台１００の前方側ほど対向間隔が広くなるように、それぞれ所定の向きで配設されるからである。このため、各種の演目に応じた仕様に設定しても、最適な音響効果を得ることが困難となってしまう場合があった。
【０００７】
このようなことから、本発明は、吊り下げ式の利点を生かしながらも、各種の演目に応じて最適な音響効果が得られるように仕様変更できる音響反射板装置を提供することを目的とした。
【０００８】
【課題を解決するための手段】
前述した目的を達成するための、本発明による音響反射板装置は、
舞台の天井側に配置される天井反射板と、
舞台の上手側および下手側にそれぞれ配置される側面反射板と、
舞台の奥側に配置される正面反射板と
を備えてなる音響反射板装置であって、
前記正面反射板が
反射板本体と、
舞台の上手側および下手側へ向けてそれぞれ突出できるように前記反射板本体の内部に格納された対をなす側方ブロックと、
舞台の天井側へ向けて突出できるように前記反射板本体の内部に格納された上方ブロックと、
前記側方ブロックの上方にそれぞれ突出できるように当該側方ブロックまたは前記上方ブロックの内部に格納された対をなす入子ブロックと
を備えてなることを特徴とする。
【０００９】
上述した音響反射板装置においては、前記反射板本体および前記側方ブロックを走行移動可能に支持する移動台を備えたことを特徴とする。
【００１０】
【発明の実施の形態】
本発明による音響反射板装置の実施の形態を図１〜８を用いて説明する。なお、図１は、前面パネルを取り外した正面反射板の正面図、図２は、図１のII−II線断面矢視図、図３は、図１の III−III 線断面矢視図、図４は、図２の矢線IV部の水平方向の概略断面図、図５は、図３の矢線Ｖ部の水平方向の概略断面図、図６は、正面反射板の概略全体構造を表す一部破断斜視図、図７は、図６のＶII−ＶII線断面矢視図、図８は、図６のVIII−VIII線断面矢視図である。
【００１１】
本発明による音響反射板装置は、前述した従来の吊り下げ式の正面反射板を改良したもので、天井反射板および側面反射板が従来の吊り下げ式の音響反射板装置と同様な構造となっている。
【００１２】
本発明による音響反射板装置の正面反射板１は、図１〜８に示すように、天井反射板と側面反射板とで形成される舞台後方側の開口形状をなす反射板本体１０と、この反射板本体１０の内部の水平方向両端側に舞台の上手側や下手側へ突出できるようにそれぞれ格納された一対の側方ブロック２０と、当該側方ブロック２０を水平方向に移動可能に案内する側方ブロック案内手段３０と、上記側方ブロック２０を水平方向に移動させる側方ブロック移動手段３５と、上記反射板本体１０の内部の上方に舞台の天井側へ向けて突出できるように格納された上方ブロック４０と、上方ブロック４０を昇降可能に案内する上方ブロック案内手段５０と、上方ブロック４０を昇降させる上方ブロック移動手段５５と、前記側方ブロック２０の上端部分に当該側方ブロック２０の上方へ向けて突出できるようにそれぞれ格納された一対の入子ブロック６０と、当該入子ブロック２０を昇降可能に案内する入子ブロック案内手段７０と、上記入子ブロック２０を昇降させる入子ブロック移動手段７５と、上記各部材を舞台上で移動できるように支持する移動台８０とを備えてなっている。以下にその詳細を説明する。
【００１３】
図６〜８に示すように、反射板本体１０は、対向するように隔設された前面パネル１５および後面パネル１６と、これらパネル１５，１６を一体的に保持する図示しないフレームとを備えてなっている。
【００１４】
図１，２，６〜８に示すように、側方ブロック２０は、上端が開口した中空柱型をなしている。
【００１５】
図２に示すように、側方ブロック案内手段３０は、前面パネル１５の内側面の両端側に取り付けられた少なくとも上下一対の水平方向へ延びる滑りガイド３１と、これら滑りガイド３１に対応して後面パネル１６の内側面に取り付けられた水平方向へ延びる雌ガイド３２と、当該雌ガイド３２に摺動移動可能に係合するように側方ブロック２０の後面に取り付けられた水平方向へ延びる雄ガイド３３とを備えてなっている。
【００１６】
図１，３に示すように、側方ブロック移動手段３５は、前記反射板本体１０の内部の中央部分に配設されて出力軸３６ａの先端を側方ブロック２０に連結された電動ジャッキ３６を備えてなっている。
【００１７】
図１〜３，６，７に示すように、上方ブロック４０は、正面視で矩型をなすように両端側の下端および両側端が開口する中空状をなし、その上面の両端側が下方から前記側方ブロック２０の上部で支承されるようになっている。
【００１８】
図３，５に示すように、上方ブロック案内手段５０は、前面パネル１５の内側面の上方に取り付けられた少なくとも左右一対の上下方向へ延びる滑りガイド５１と、これら滑りガイド３１に対応して後面パネル１６の内面側に取り付けられた上下方向へ延びる雌ガイド５２と、当該雌ガイド５２に摺動移動可能に係合するように上方ブロック４０の後面に取り付けられた上下方向へ延びる雄ガイド５３とを備えてなっている。
【００１９】
図１，３に示すように、上方ブロック移動手段５５は、伸縮方向を上下方向へ向けて出力軸５６ａの先端を上方ブロック４０の下面に連結した左右一対の垂直ジャッキ５６と、これら垂直ジャッキ５６の基端の歯車箱５６ｂに連結された電動モータ５７とを備えてなっている。つまり、電動モータ５７を駆動させることにより、垂直ジャッキ５６は、歯車箱５６ｂ内のナット体が回転し、ねじを介して出力軸５６ａが上下移動するようになっているのである。
【００２０】
図１，２，６，７に示すように、入子ブロック６０は、前記側方ブロック２０内に格納できる大きさをなしている。
【００２１】
図２，４に示すように、入子ブロック案内手段７０は、側方ブロック２０の前方側の内面にそれぞれ取り付けられた左右一対の上下方向へ延びる滑りガイド７１と、これら滑りガイド７１に対応して側方ブロック２０の後方側の内面にそれぞれ取り付けられた上下方向へ延びる雌ガイド７２と、当該雌ガイド７２に摺動移動可能に係合するように入子ブロック６０の後面にそれぞれ取り付けられた上下方向へ延びる雄ガイド７３とを備えてなっている。
【００２２】
図１，２に示すように、入子ブロック移動手段７５は、側方ブロック２０内にそれぞれ配設されて出力軸７６ａの先端を側方ブロック２０に連結された電動ジャッキ７６を備えてなっており、上方ブロック４０と常に等しい高さとなるように側方ブロック２０を昇降させることができるようになっている。
【００２３】
図１〜３に示すように、移動台８０は、電動ジャッキ７６の基端が固定されて当該電動ジャッキ７６を介して入子ブロック６０を支持すると共に側方ブロック２０を支持する左右一対の側方移動台８１と、これら側方移動台８１の下面に回転自在にそれぞれ設けられた球車輪８２と、前記反射板本体１０を支持すると共に垂直ジャッキ５６の歯車箱５６ｂ部分が固定されて当該垂直ジャッキ５６を介して上方ブロック４０を支持し且つ電動モータ５７が載置されると共に架台８５ａ上に電動ジャッキ３６が載置される中央移動台８５と、この中央移動台８５の下面に回転可能に設けられた左右一対の駆動車輪８６と、中央移動台８５の架台８５ａに配設された正逆回転可能な走行用モータ８７と、この走行用モータ８７と上記駆動車輪８６とを連結して走行用モータ８７の動力を駆動車輪８６に伝達するスプロケットホイールやチェン等からなる動力伝達系８８とを備えてなっている。
【００２４】
このような正面反射板１を備えた音響反射板装置によれば、電動モータ５７を作動して垂直ジャッキ５６の出力軸５６ａを歯車箱５６ｂを介して伸長させると共に、電動ジャッキ３６，７６を作動して出力軸３６ａ，７６ａを伸長させると、図９に示すように、側方ブロック２０、上方ブロック４０、入子ブロック６０を前記反射板本体１０の内部から突出させる、すなわち、音響反射面積を拡張することができる。このため、走行用モータ８７を作動して動力伝達系８８を介して駆動車輪８６を回転させることにより、図１０に示すように、正面反射板１を舞台１００の前方へ移動させても、天井反射板１２３や側面反射板１２４との間に隙間を生じることがない。
【００２５】
したがって、吊り下げ式の利点を有しながら各種の演目に応じて最適な音響効果が得られる仕様に変更することができる。
【００２６】
また、側方移動台８１を球車輪８２で走行移動できるようにしたので、中央移動台８５を前後方向へ移動させながら側方移動台８１を左右方向へ移動させることができる。このため、正面反射板１０の移動と同時に音響反射面積を変更することができるので、演目に応じた仕様の変更を効率よくスムーズに行うことができる。
【００２７】
また、各ブロック２０，４０，６０の移動を案内するに当たって、その後面側を雌ガイド３２，５２，７２および雄ガイド３３，５３，７３でずれないようにガイドする一方、その前面側を前面パネル１５や側方ブロック２０の内面に取り付けた滑りガイド３１，５１，７１で滑らかに移動できるようにしたので、各ブロック２０，４０，６０の前面、すなわち、客席から目視可能な音響反射面に余計な凹凸を設けることなく各ブロック２０，４０，６０を前記反射板本体１０の内部から安定して突出させることができる。このため、見栄えや音響効果の低下を招くことがない。
【００２８】
なお、本実施の形態では、側方ブロック２０の上端部分に入子ブロック６０を格納し、入子ブロック案内手段７０および入子ブロック移動手段７５で上記入子ブロック６０を側方ブロック２０の上方へ突出させるようにしたが、入子ブロックを側方ブロックの上方へ突出できるように上方ブロックの左右両端側にそれぞれ格納し、当該入子ブロックを入子ブロック案内手段および入子ブロック移動手段で側方ブロックの上方へ移動させるようにしてもよい。
【００２９】
また、本実施の形態では、側方移動台８１と中央移動台８５とを備えた、すなわち、三台に分割された移動台８０を用いたが、一台でその上に側方ブロックを摺動移動させるような移動台を用いてもよい。
【００３０】
【発明の効果】
本発明による音響反射板装置では、正面反射板を舞台の前方へセットしても、当該正面反射板と天井反射板および側面反射板との間に隙間を生じることがないので、各種の演目に応じて最適な音響効果が得られる仕様に変更することができる。
【図面の簡単な説明】
【図１】本発明による音響反射板装置の実施の形態の正面反射板の前面パネルを取り外した状態の正面図である。
【図２】図１のII−II線断面矢視図である。
【図３】図１の III−III 線断面矢視図である。
【図４】図２の矢線IV部の水平方向の概略断面図である。
【図５】図３の矢線Ｖ部の水平方向の概略断面図である。
【図６】正面反射板の概略全体構造を表す一部破断斜視図である。
【図７】図６のＶII−ＶII線断面矢視図である。
【図８】図６のVIII−VIII線断面矢視図である。
【図９】正面反射板の作動説明図である。
【図１０】本発明による音響反射板装置の作用説明図である。
【図１１】従来の音響反射板装置の一例の概略構造図である。
【図１２】従来の音響反射板装置の他の例の概略構造図である。
【符号の説明】
１  正面反射板
１０  反射板本体
１５  前面パネル
１６  後面パネル
２０  側方ブロック
３１  滑りガイド
３２  雌ガイド
３３  雄ガイド
３６  電動ジャッキ
４０  上方ブロック
５１  滑りガイド
５２  雌ガイド
５３  雄ガイド
５６  垂直ジャッキ
５７  電動モータ
６０  入子ブロック
７１  滑りガイド
７２  雌ガイド
７３  雄ガイド
７６  電動ジャッキ
８０  移動台
８１  側方移動台
８２  球車輪
８５  中央移動台
８６  駆動車輪
８７  走行用モータ
８８  動力伝達系
１００  舞台
１００ｃ  すのこ
１２１  ウインチ
１２２  ワイヤ
１２３  天井反射板
１２４  側面反射板
【図１】
0003686161.tif 000002
【図２】
0003686161.tif 000003
【図３】
0003686161.tif 000004
【図４】
0003686161.tif 000005
【図５】
0003686161.tif 000006
【図６】
0003686161.tif 000007
【図７】
0003686161.tif 000008
【図８】
0003686161.tif 000009
【図９】
0003686161.tif 000010
【図１０】
0003686161.tif 000011
【図１１】
0003686161.tif 000012
【図１２】
0003686161.tif 000013